(57)【要約】      （修正有）【課題】観賞用の水槽の周面等に竹製の枠縁的な和風又は東洋的な癒しの装飾を施して水槽デザインを大幅に拡張し発展性を有利に可能にした竹枠水槽を提供する。【解決手段】観賞用の水槽において、水槽の四周面の各周囲に太竹製の枠縁竹を設け、同枠縁竹の一部又は全部の枠内に枠縁竹より細い直線竹又は曲線竹又はこれらを組み合わせて模様化して枠縁を補強する補強模様竹を配設する。枠縁竹及び補強模様竹は、縦割の分割竹、又は縦割しない丸竹或いはこれ等を組み合わせて構成し、補強模様竹で構成する模様の一部又は全部を、直線竹を用いて格子模様又は縞格子模様や、曲線竹を用いて枠縁竹の枠内四周に接触するアーチ状窓又は円形状窓又は楕円形窓、又は直線竹を用いて枠縁竹の枠内四周に一部を接触する多角形窓を成型した。【選択図】図１
0003168734.tif 000002
【実用新案登録請求の範囲】
【請求項１】
観賞用の水槽において、水槽の四周面の各周囲に太竹製の枠縁竹（ワクブチダケ）を設け、同枠縁竹の一部又は全部の枠内に枠縁竹より細い直線竹又は曲線竹又はこれらを組み合わせて模様化して前記枠縁を補強する補強模様竹（ホキョウモヨウダケ）を配設したことを特徴とする竹枠水槽。
【請求項２】
前記枠縁竹及び前記補強模様竹は、縦割の分割竹、又は縦割しない丸竹或いはこれ等を組み合わせて構成したことを特徴とする請求項１に記載の竹枠水槽。
【請求項３】
前記補強模様竹で構成する模様の一部又は全部を、直線竹を用いて格子模様又は縞格子模様にしたことを特徴とする請求項１又は請求項２に記載の竹枠水槽。
【請求項４】
前記補強模様竹で構成する模様の一部又は全部を、曲線竹を用いて前記枠縁竹の枠内四周に接触する湾曲模様に成型したことを特徴とする請求項１から請求項３の何れか一つに記載の竹枠水槽。
【請求項５】
前記補強模様竹で構成する模様の一部又は全部を、直線竹を用いて前記枠縁竹の枠内四周に一部を接触する多角形模様に成型したことを特徴とする請求項１から請求項３の何れか一つに記載の竹枠水槽。
【考案の詳細な説明】
【技術分野】
【０００１】  本考案は、観賞用の水槽の周面等に竹製の枠縁的な和風又は東洋的な癒しの装飾を施した所謂竹枠水槽に関するものである。
【背景技術】
【０００２】  観賞用の水槽のデザインは、一般に、水槽内に飼育する魚やサンゴ等に合わせた色彩、大きさ、形状の石、岩、草等を配置して鑑賞性を高めている。
しかし、このデザインは、水中に限られることからその発展性は自ずと制約が多い。
【考案の開示】
【考案が解決しようとする課題】
【０００３】  本考案は、観賞用の水槽の周面等に竹製の枠縁的な和風又は東洋的な癒しの装飾を施した所謂竹枠水槽を提供し水槽デザインを大幅に拡張し発展性を有利に可能にしたものである。
【課題を解決するための手段】
【０００４】  前記課題を満足する本考案の特徴とする技術条件は次の（１）〜（３）の通りである。
（１）、観賞用の水槽において、水槽の四周面の各周囲に太竹製の枠縁竹（ワクブチダケ）を設け、同枠縁竹の一部又は全部の枠内に枠縁竹より細い直線竹又は曲線竹又はこれらを組み合わせて模様化して前記枠縁を補強する補強模様竹（ホキョウモヨウダケ）を配設したことを特徴とする竹枠水槽。
（２）、前記枠縁竹及び前記補強模様竹は、縦割の分割竹、又は縦割しない丸竹或いはこれ等を組み合わせて構成したことを特徴とする前記（１）に記載の竹枠水槽。
（３）、前記補強模様竹で構成する模様の一部又は全部を、直線竹を用いて格子模様又は縞格子模様にしたことを特徴とする前記（１）又は（２）に記載の竹枠水槽。
（４）、前記補強模様竹で構成する模様の一部又は全部を、曲線竹を用いて前記枠縁竹の枠内四周に一部を接触するハート窓、ダイヤ窓、アーチ状窓又は円形状窓又は楕円形窓などの湾曲模様に成型したことを特徴とする前記（１）〜（３）の一つに記載の竹枠水槽。
（５）、前記補強模様竹で構成する模様の一部又は全部を、直線竹を用いて前記枠縁竹の枠内四周に一部を接触する三角、四角、五角、六角、八角などの多角形模様に成型したことを特徴とする前記（１）〜（３）の一つに記載の竹枠水槽。
【考案の効果】
【０００５】  本考案の竹枠水槽は、観賞用の水槽の四周面を枠縁竹で堅牢に保護し、枠縁竹内に実施例で示す各種の補強模様竹を構成して、和風、東洋風の癒しの装飾を施すことにより、水槽デザインを水槽内に限らずその四周面にまで亘らせて大幅に拡張し、その発展性を有利に可能にしたものである。
本考案は、枠縁竹部分、補強模様竹部分を分割タイプにして適宜に組み合わせることができる。この場合は、製作工程の簡便化、合理化、省力化を有利に可能にし、且つ製造コストを低減する。
【図面の簡単な説明】
【０００６】
【図１】実施例１の正・裏面図（１）と両側面図（２）を示す説明図である。
【図２】実施例２の正・裏面図（１）と両側面図（２）を示す説明図である。
【図３】実施例３の正・裏面図（１）と両側面図（２）を示す説明図である。
【図４】実施例１の鳥瞰写真を示す。
【図５】実施例２の鳥瞰写真を示す。
【図６】実施例３の鳥瞰写真を示す。
【考案を実施するための最良の形態】
【０００７】  考案を実施するための最良の形態は、前述した（２）〜（５）のバリエーションの通りであるが、その具体例は以下に記載の実施例により詳細に紹介する。
【実施例１】
【０００８】実施例１は、図１に示す観賞用の竹枠水槽であり、本例の竹枠水槽において、水槽Ｓの四周面の正裏面ＳＦ１（：図１（１））と両側面ＳＦ２（：図１（２））の各四周辺部に矩形の木枠Ｍをベースにして縦割した直線竹１００で構成した太竹製の枠縁竹１０１，１０２を設け、この正裏面ＳＦ１の枠縁竹１０１内には、縦割しない丸竹１０３で六角形模様を構成した細竹製の補強模様竹１０４を配置し、両側面ＳＦ２には、縦割をした直線竹１０５で縞格子模様を構成した細竹製の補強模様竹１０６を組み合わせて配設した竹枠水槽である。
太竹製の枠縁竹１０１と１０２の縦枠は共用の一体竹で構成してもよい。他の例もどうである。
本例の作成実物の鳥瞰写真を図４示す。
【実施例２】
【０００９】実施例２は、図２に示す観賞用の竹枠水槽であり、本例の竹枠水槽において、水槽Ｓの四周面の正裏面ＳＦ１（：図２（１））と両側面ＳＦ２（：図２（２））の各四周辺部に縦割した直線竹１０７で構成した太竹製の枠縁竹１０８，１０９を設け、正裏面ＳＦ１の枠縁竹１０８内には、縦割した直線竹１１０を用いて三重のアーチを構成した細竹製の補強模様竹１１１を配設し、両側面ＳＦ２の枠縁竹１０９内には、縦割しない丸竹１１２で六角形模様を構成した細竹製の補強模様竹１１３と，縦割しない丸竹１１４及び縦割した直線竹１１５を用いて細竹製の縦型の補強模様竹１１６配置した竹枠水槽である。木枠は省略してある。
本例の作成実物の鳥瞰写真を図４示す。
【実施例３】
【００１０】実施例３は、図３に示す観賞用の竹枠水槽であり、本例の竹枠水槽において、水槽の四周面の正裏面ＳＦ１（：図３（１））と両側面ＳＦ２（：図３（２））の各四周辺部に縦割した直線竹１１７で構成した太竹製の枠縁竹１１８，１１９を設け、この枠縁竹１１８内に縦割しない丸竹１２０を用いて前記枠縁竹の左右の縦枠部に沿って段違い配列して構成した補強模様竹１２１を配設し、両側面ＳＦ２には、縦割した直線竹１２２を紐１２４で編んで連結して縞格子模様を構成した細竹製の補強模様竹１２３を配置した竹枠水槽である。木枠は省略してある。
本例の作成実物の鳥瞰写真を図６示す。
以上の実施例の変形例として、補強模様竹１０３，１０６，１１１，１１３，１１６，１２１，１２３を任意に組み合わせて水槽の四周面の正裏面ＳＦ１と両側面ＳＦ２の枠縁竹内に配置することによりが可能である。これにより水槽を配置する室などの雰囲気に応じてイテリアのディスプレイすることが自在に実施できる優れた作用効果を有する。
【産業上の利用可能性】
【００１１】  本考案の竹枠水槽は、前述のように観賞用の水槽の四周面を枠縁竹で堅牢に保護し、枠縁竹内に実施例で示す各種の補強模様竹を構成して、和風、東洋風の癒しの装飾を施すことにより、水槽デザインを水槽内に限らずその四周面にまで亘らせて大幅に拡張し、その発展性を有利に可能にした優れた作用効果を呈する。このため、各種会社の事務所、病院、養老院、各種学校、保養施設、一般家庭等々におけるイテリアの一部に適用することにより、水槽内の被観賞物を観賞する人々に、更なる潤いと安らぎを与えることができ社会的な環境整備に寄与すること多大なものがある。
【符号の説明】
【００１２】ＳＦ１：正裏面
ＳＦ２：両側面
１０１，１０２，１０８，１０９，１１８，１１９：枠縁竹
１０３，１０６，１１１，１１３，１１６，１２１，１２３：補強模様竹
【図１】
0003168734.tif 000003
【図２】
0003168734.tif 000004
【図３】
0003168734.tif 000005
【図４】
0003168734.tif 000006
【図５】
0003168734.tif 000007
【図６】
0003168734.tif 000008